(57)【要約】【課題】フィーダ指定で縮尺表示するのにフィーダ全域表示を容易にする。【解決手段】フィーダを指定して街路図と共に表示するのに、フィーダを囲む最小の矩形が表示対象領域に含まれるものを表示対象フィーダとして表示する配電線路図の表示方法において、（ａ）フィーダを指定して表示する際、当該フィーダ矩形の中心を表示対象領域の中心として決定する。（ｂ）現時点での線路図上のフィーダ矩形に各縮尺倍率を掛算する。（ｃ）ＣＲＴ上のフィーダ矩形を求める。（ｄ）フィーダ矩形がウィンドウに含まれるか否かチェックする。（ｅ）フィーダ矩形が含まれる縮尺のうち一番小さい縮尺を表示対象領域と決定する。【選択図】図３
2006268051.tif 000002
【特許請求の範囲】
【請求項１】
フィーダを指定して街路図と共に表示するのに、フィーダを囲む最小の矩形が表示対象領域に含まれるものを表示対象フィーダとして表示する配電線路図の表示方法において、
フィーダ矩形の中心を表示対象領域の中心とし、各縮尺と当該フィーダ矩形から求められる表示装置上のフィーダ矩形が現時点のウィンドウに含まれるもののうち一番小さい縮尺を表示縮尺とし、表示対象領域を決定してフィーダを表示することを特徴とする配電線路図の表示方法。
【発明の詳細な説明】
【技術分野】
【０００１】
本発明は、配電設備の図形と名称を街路図に対応させて表示する配電線路図の表示方法に関する。
【背景技術】
【０００２】
（その１）
この種の配電線路図の表示には、図の表示中心と縮尺が指定されると、線路図上の表示対象領域を特定し、それに含まれる配電設備図形を検索して表示する。従来、配電線路図は専用の表示装置に表示していたが、最近ではパソコンやワークステーションなどのウィンドウＯＳを装備した汎用ＣＰＵを配電システムの操作卓とし、そのウィンドウに配電線路図を表示するようになってきた。
【０００３】
これにより、従来の専用装置ではＣＲＴ上の線路図の表示領域は固定であったが、ウィンドウでは任意に大きさを変えることができる。一旦、線路図を表示後でもウィンドウの大きさを変えて表示範囲を変更できる。この例を図７に示し、ウィンドウＡの表示に対して、ウィンドウＢでは縮小表示ができ、ウィンドウＣでは拡大表示できる。
【０００４】
（その２）
最初に配電線路図を表示する際、図８に示すように、（ａ）オペレータはフィーダを指定し、その際、各フィーダのデータにはあらかじめ表示縮尺と表示中心座標が設定されているので、当該フィーダの表示中心座標の特定（ｂ）と縮尺特定（ｃ）により、線路図上の表示対象の矩形領域を特定する。
【０００５】
続いて、図９に示すように、表示対象の矩形領域に対し表示対象の設備図形を検索するが、全設備を逐一検索すると膨大な時間がかかるため、各フィーダを囲む最小の矩形座標を持ち、表示対象の矩形領域に重なるフィーダの矩形を検索してフィーダを特定し、当該フィーダに所属する設備図形を表示対象としている。
【０００６】
なお、地図上の表示対象の矩形領域を特定する手法として、矩形領域の端点を求め、求めた結果からマージンを決定するとともに、縦横のサイズ比較により縮尺率に基づいて表示の拡大縮小を行う方法がある（例えば、特許文献１参照）。
【０００７】
（その３）
配電線路図の縮尺を何段階かに切り替えて表示する場合、図形や名称の大きさを倍率に比例させて表示すると、極端に小さくなったり大きくなったりして見づらくなるため、図形や名称の大きさはほぼ固定にし、位置関係だけを倍率に比例させて表示する。この例を図１０に示し、ウィンドウＤに対して縮尺を倍にしたウィンドウＥでは開閉器ＣＢとその名称Ｔ−０１０１，Ｍ−２４５０の縮尺をそのままに固定した表示を行う。このような表示の仕方により、ハードウェアやファームウェアによる単純なズーム機能は採用されていない。
【特許文献１】特開平９−２４４５２７号公報
【発明の開示】
【発明が解決しようとする課題】
【０００８】
（その１）
従来の線路図ウィンドウの伸縮では縮尺が固定のまま表示領域が変化する。しかし、ウィンドウの伸縮に際しても表示領域は固定のまま保持したいという要求がある。
【０００９】
例えば、特定のフィーダについて操作中に他のウィンドウも並列して表示する必要があり線路図ウィンドウを縮めるが、当該フィーダの全域を表示したままとしたい場合である。また、特定のフィーダについて操作中に、より詳細に見る必要があり当該フィーダの全域を保持したままウィンドウを拡大したい場合などである。
【００１０】
この例を図１１に示し、ウィンドウＡに対して、縮小ウィンドウＢではフィーダも縮小して表示し、拡大ウィンドウＣではフィーダも拡大して表示する場合であるが、従来方法ではこの要求に対応できない。
【００１１】
（その２）
従来、配電線路図は専用の表示装置に表示しており、当該ＣＲＴ上の表示領域は固定サイズであった、そのため、それに合わせてフィーダ毎に表示中心座標と縮尺を設定していた。パソコンやワークステーションなどのウィンドウＯＳを装備した汎用ＣＰＵを配電システムの操作卓とし、そのうちの１つのウィンドウに配電線路図を表示する場合、当該ウィンドウのサイズは固定ではなく、オペレータが自由に伸縮できる。そのウィンドウにフィーダ指定で表示する際、フィーダデータに設定された固定的な縮尺ではフィーダ全域を表示できない場合がある。また、逆に必要のない他フィーダも表示してしまう場合もあり得る。
【００１２】
フィーダ全域を表示しきれない場合を図１２に示す。このような場合、再度オペレータが最適な縮尺を設定しなければならず、オペレータに不快感と不当な労力を強いる。
【００１３】
（その３）
従来の表示では、ハードウェアやファームウェアによるズーム機能を採用していないため、オペレーションもズーム操作に相当するものはない。縮尺は４〜５段階で、メニューやダイアログにより直接、目的の縮尺を指定して表示するようにしている。倍率も例えば、1／1000、1／2000、1／5000、1／10000、1／25000など、縮尺間の変化が非常に大きい。
【００１４】
しかし、直接、縮尺を指定させる方法では、オペレータが現在の縮尺を認識し、それから必要な表示範囲を考えて変更先の縮尺を決定するので素早く操作できない。また、縮尺間の表示範囲の変化が大きいので、縮尺を変更すると視覚的なショックが大きくそれまでの思考が中断してしまう。
【００１５】
本発明の目的は、フィーダ指定で縮尺表示するのにフィーダ全域表示を容易にする表示方法を提供することにある。
【課題を解決するための手段】
【００１６】
本発明は、前記の課題を解決するため、フィーダを指定して街路図と共に表示するのに、フィーダを囲む最小の矩形が表示対象領域に含まれるものを表示対象フィーダとして表示する配電線路図の表示方法において、
フィーダ矩形の中心を表示対象領域の中心とし、各縮尺と当該フィーダ矩形から求められる表示装置上のフィーダ矩形が現時点のウィンドウに含まれるもののうち一番小さい縮尺を表示縮尺とし、表示対象領域を決定してフィーダを表示することを特徴とする。
【発明の効果】
【００１７】
以上のとおり、本発明によれば、以下の効果がある。
【００１８】
フィーダ矩形の中心を表示対象領域の中心とし、各縮尺と当該フィーダ矩形から求められる表示装置上のフィーダ矩形が現時点のウィンドウに含まれるもののうち一番小さい縮尺を表示縮尺とし、表示対象領域を決定してフィーダを表示するため、フィーダ指定で縮尺表示するのにフィーダ全域をジャストフィットさせた表示ができる。
【発明を実施するための最良の形態】
【００１９】
（第１の実施形態）
図２は、本発明の実施形態を説明するための装置構成図である。ウィンドウＯＳを搭載したＣＰＵ１を中枢部とするコンピュータ構成にされ、配電線路データやフィーダ表示テーブルになる表示データは図示省略の外部記憶装置からメモリ２に転送され、表示処理のためのソフトウェアとして縮尺変更プロセス３や縮尺変更操作手段４が搭載される。また、配電線図の画面表示のための表示制御部５とＣＲＴ等の表示装置６が設けられ、さらにオペレータによる入力装置としてキーボード７やマウス８が設けられる。
【００２０】
このような装置を使った本実施形態の表示方法は、図１に示すように、ウィンドウの伸縮に応じて表示対象の縮尺を変化させることにより表示領域を確保する。この手順を以下に説明する。
【００２１】
（ａ）ウィンドウの伸縮の指示があると、現時点での線路図上の表示対象領域と各縮尺倍率を掛算する。
【００２２】
（ｂ）ＣＲＴ上の表示対象領域を求める。
【００２３】
（ｃ）求めた表示対象領域でウィンドウに含まれるもののうち最小の縮尺倍率を求める。
【００２４】
（ｄ）この縮尺倍率と表示中心座標およびウィンドウの大きさにより線路図上の表示対象領域を再設定し、表示する。
【００２５】
なお、このような動作モードと、表示領域が変化する従来のモードを切り替えることができるものとする。
【００２６】
したがって、本実施形態によれば、従来方法がウィンドウを伸縮すると縮尺が同じなので表示領域が変化してしまう。その際、元の表示領域が重要な意味を持つ場合がある。元の表示領域を再現するには、縮尺変更を行う必要があるが、１回の操作で元の表示領域を再現するのは難しく、何回か試行錯誤的に縮尺変更を繰り返さなければならず非常に煩わしい等の問題を解消できる。
【００２７】
すなわち、本実施形態によれば、ウィンドウを伸縮に応じて表示領域を保持したまま縮尺変更を自動的に行うので、縮尺変更の煩わしさを解消できる。
【００２８】
（第２の実施形態）
図３は、本実施形態の処理手順を示す。従来、フィーダごとに保持していた縮尺と表示中心を廃し、フィーダ矩形のみを保持する構成とする。この手順を以下に説明する。
【００２９】
（ａ）フィーダを指定して表示する際、当該フィーダ矩形の中心を表示対象領域の中心として決定する。
【００３０】
（ｂ）現時点での線路図上のフィーダ矩形に各縮尺倍率を掛算する。
【００３１】
（ｃ）ＣＲＴ上のフィーダ矩形を求める。
【００３２】
（ｄ）フィーダ矩形がウィンドウに含まれるか否かチェックする。
【００３３】
（ｅ）フィーダ矩形が含まれる縮尺のうち一番小さい縮尺を表示対象領域と決定する。
【００３４】
したがって、本実施形態によれば、
（１）線路図用のウィンドウがいかなる大きさであっても、フィーダ指定表示時には当該ウィンドウにフィーダ矩形がジャストフィットするように縮尺を自動設定するため、必ずフィーダ全域を表示することができ、オペレータの余分な労力を省き、快適な操作感を与える。
【００３５】
（２）フィーダ指定表示時の表示中心と縮尺はフィーダ矩形から求めるため、従来フィーダごとに持っていた表示中心座標と縮尺は不要になり、保存領域を節約できる。
【００３６】
（第３の実施形態）
図４の（ａ）と（ｂ）は、本実施形態の処理態様を示す。本実施形態では、オペレータの拡大／縮小指示に素早く自動的に縮尺を切り替える方法になる。
【００３７】
（ａ）オペレータは、現在の縮尺と変更後の縮尺の数値を認識する必要なく、縮尺変更方向（拡大／縮小）のみを指示する。このため、装置にはＧＵＩリソースまたはハードウェアを設ける。
【００３８】
（ｂ）オペレータからの縮尺変更方向（拡大／縮小）の通知でイベントを起動する。
【００３９】
（ｃ）このイベント起動により、現在の縮尺より１段階、指定方向（拡大／縮小）へ縮尺を変更してして表示する。
【００４０】
図５は、縮尺変更指示の具体例を示し、同図の（ａ）では押釦による方法を、（ｂ）ではスライダ等による方法を示す。
【００４１】
同図の（ａ）に示すように、操作手段がＵＰ釦とＤ０ＷＮ釦の場合。ＵＰ釦の操作には縮尺拡大イベントを、Ｄ０ＷＮ釦の操作には縮尺縮小イベントを発生させる。
【００４２】
同図の（ｂ）に示すように、操作手段がスライダやスクロールバーの中釦などのようにドラッグして操作するＧＵＩリソースまたはハードウェアの場合、所定の操作幅ごとに、操作方向に応じて縮尺拡大イベント／縮尺縮小イベントを発生させる。
【００４３】
なお、縮尺段階の大きさは、縮尺変更時に視覚的ショックを緩和するため、各縮尺間で表示面積が２倍程度になるよう縮尺倍率を設定する。
【００４４】
面積比で２倍ということは距離比では√２＝1.414倍である。例えば、1／1000→1／1414→1／2000→という具合である。面積比で２倍というのは、図６で示すように、拡大時に元の地図領域が拡大後の領域中央の大半を占めるので、視覚的ショックを少なくすることができる。
【００４５】
したがって、本実施形態によれば、以下の効果がある。
【００４６】
（１）通常、オペレータは現在の縮尺倍率の数値など意識せずに作業している。操作中により広い地図領域が必要になった際も、目的の縮尺倍率の数値を論理的（デジタル的）に考えるのではなく、「現在よりもっと広い地図領域が欲しい」と感覚的（アナログ的）に考えるだけである。本来、オペレータはこのような思考形態であるにもかかわらず、現状、縮尺の数値を意識させて数値を直接指定する方法を強要するため、素早く操作ができない。さらに、感覚的にマッチしないため、操作に疲労や不快感を伴わせる。
【００４７】
本実施形態では、オペレータの１動作で現在の縮尺から１段階隔てた次の縮尺に変更するため素早く操作できる。また、オペレータは現在の縮尺も変更後の縮尺もその数値を意識する必要がなく、「現在よりもっと広い地図領域が欲しい」という感覚にマッチしているため、操作に疲労や不快感を覚えることはなく、精神衛生上も非常に優れている。
【００４８】
（２）従来の線路図表示方法は、位置関係は縮尺倍率に比例して変化させるが、図形や文字の大きさは変化させないため、図形表示装置のハードウェアやファームウェアによる単純なズーム機能が使えず、ズームは実現していない。
【００４９】
本実施形態では、各縮尺間の倍率比を面積比で２倍程度（距離比で1.414倍程度）に設定することにより、縮尺変更時の視覚的ショックを感じさせず、連続的に見えさせる。さらに、（１）項で述べたように１動作で次段階の縮尺に変更するので、本動作の単純な繰り返しにより連続的な縮尺変更ができる。このことから、連続的な動作とそれに対する視覚的な連続性により、ズーム的な表示が可能になる。
【図面の簡単な説明】
【００５０】
【図１】本発明の第１の実施形態を示す表示対象領域の再設定手順。
【図２】本発明に係る装置構成図。
【図３】本発明の第２の実施形態を示すフィーダ矩形による表示対象領域の決定手順。
【図４】本発明の第３の実施形態を示す縮尺変更手順。
【図５】第３の実施形態における縮尺変更指示方法。
【図６】第３の実施形態における縮尺間の面積比２倍の例。
【図７】従来の表示対象領域が変化するウィンドウの伸縮例。
【図８】従来のフィーダに設定した縮尺と中心の説明図。
【図９】従来のフィーダ矩形の表示例。
【図１０】従来の配電線路図の縮尺表示例。
【図１１】従来の表示対象領域固定のウィンドウの伸縮例。
【図１２】従来のウィンドウとフィーダ固定縮尺例。
【符号の説明】
【００５１】
１…ＣＰＵ
２…メモリ
３…縮尺変更プロセス
４…縮尺変更操作手段
５…表示制御部
６…表示装置
７…キーボード
８…マウス
【図１】
2006268051.tif 000003
【図２】
2006268051.tif 000004
【図３】
2006268051.tif 000005
【図４】
2006268051.tif 000006
【図５】
2006268051.tif 000007
【図６】
2006268051.tif 000008
【図７】
2006268051.tif 000009
【図８】
2006268051.tif 000010
【図９】
2006268051.tif 000011
【図１０】
2006268051.tif 000012
【図１１】
2006268051.tif 000013
【図１２】
2006268051.tif 000014